(57)【特許請求の範囲】
【請求項１】
内周面に雌ねじを切った金属製アジャストパイプに、外周面に雄ねじを切ったアジャストボルトを螺合させて連結し、その螺合位置を変えることで、パネルを、床面との間に開ける隙間を調整して所定高さ位置に支持するパネルサポートであって、
前記アジャストボルトは、前記パネルを受ける金属製の受け部材又は前記床面に固定する金属製の固定部材に対してインサート成型により樹脂で一体に円筒状に成形し、その円筒部の周面部位に、雄ねじを螺設してねじ山の高さ分だけ肉厚な拡径部分と、雄ねじを螺設しないでねじ山のない分だけ薄肉な縮径部分を周方向に形成してなることを特徴とする、パネルサポート。
【請求項２】
前記アジャストパイプは、内周面に、軸線方向に細長い複数の係合溝を周方向に間隔をあけて設ける一方、前記アジャストボルトは、前記円筒部を、その中心に自由端側に向けて開口する肉抜き穴を設けて立設し、その円筒部には、外周面に前記雄ねじを螺設すると共に対角位置に厚さ方向に導通する一対のピンガイド部を穿設し、それらピンガイド部に緩み止めピンを配設し、これら緩み止めピンは、付勢ばねで径方向外向きに付勢してピン先端を前記ピンガイド部から出没自在に保持してなることを特徴とする、請求項１に記載のパネルサポート。
【発明の詳細な説明】
【技術分野】
【０００１】
本発明は、トイレブースやオフィス等において、ドア取付用のパネルや間仕切り用のパネルなどを支持するのに好適なパネルサポートに関する。
【背景技術】
【０００２】
トイレブースでは、一般に、トイレ用ドアを取り付ける支持パネルや、間仕切りに使用する仕切りパネルを、下からパネルサポートで受け止めて支持し、しかも、床面との間に開ける隙間を調整して所定高さ位置に支えている。
【０００３】
そのため、従来のパネルサポートは、例えば図１２および図１３に示すように、床面１に固定する固定部材２に基部３ａをカシメてアジャストボルト３を立設した固定手段ａと、内周面に雌ねじ４を切ったアジャストパイプｂと、パネル５を受ける受け部材６に基部７ａをカシメてアジャストボルト７を立設した取付手段ｃとを備え、アジャストパイプｂの上下両端にアジャストボルト７・３を螺合させて固定手段ａと取付手段ｃとを連結し、アジャストパイプｂを回転させると螺合位置を変えることができ、その螺合位置を変えることで、受け部材６上に載せて取り付けるパネル５を、床面１との間に開ける隙間ｄの高さを調整して支持する構造になっている。
【０００４】
しかも、従来のパネルサポートは、ドアの開閉等によって衝撃や振動を繰り返し受けることにより、経時、アジャストボルト３・７とアジャストパイプｂの捩じ込みに緩みが発生しないように、アジャストパイプｂを回して隙間ｄの高さを調整した後、アジャストパイプｂの外周にあけた緩み止め用のねじ穴８に、例えば芋ネジ型の止めねじ９を捩じ込んでアジャストパイプｂの回転をロックする構造にしている。
【特許文献１】登録実用新案第３００８３８３号公報
【発明の開示】
【発明が解決しようとする課題】
【０００５】
ところが、従来のパネルサポートでは、床面側の固定手段ａは、固定部材２に基部３ａをカシメてアジャストボルト３を立設し、パネル側の取付手段ｃも、受け部材６に基部７ａをカシメてアジャストボルト７を立設して組み立てるため、作業者の熟練度に応じてカシメ具合にバラツキを生じ、固定部材２と受け部材６に対するアジャストボルト３・７の連結強度に不具合を生ずるなど、組立精度の確実性に欠けるという課題があった。更に、従来のパネルサポートでは、素材が、近ごろ価格の高騰しているステンレシ鋼等の金属であるため、それだけコストが著しく高くなるという課題があった。
【０００６】
そこで、本発明の目的は、組立精度にバラツキをなくして確実性を上げると共に、コストを飛躍的に低減させるパネルサポートを提供することにある。
【課題を解決するための手段】
【０００７】
そのため、請求項１に記載の発明は、たとえば以下に示す図示実施の形態のとおり、内周面に雌ねじｗを切った金属製アジャストパイプ１２に、雄ねじｍ・ｎを切ったアジャストボルト１１・１４を螺合させて連結し、その螺合位置を変えることで、パネルＰを、床面Ｆとの間に開ける隙間ｄを調整して所定高さ位置に支持するパネルサポートＳであって、前記アジャストボルト１１・１４は、前記パネルＰを受けるサポートプレート１３のような金属製の受け部材又はサポートローズ１０のような前記床面Ｆに固定する金属製の固定部材に対してインサート成型により樹脂で一体に円筒状に成形し、その円筒部２０・２５の周面部位に、雄ねじｍ・ｎを螺設してねじ山の高さ分だけ肉厚な拡径部分２０ａ・２５ａと、雄ねじを螺設しないでねじ山のない分だけ薄肉な縮径部分２０ｂ・２５ｂを周方向に形成してなることを特徴とする。
【０００８】
請求項２に記載の発明は、請求項１に記載のパネルサポートＳにおいて、たとえば以下に示す図示実施の形態のとおり、前記アジャストパイプ１２は、内周面に、軸線方向に細長い複数の係合溝１２ａを周方向に間隔をあけて設ける一方、前記アジャストボルト１１は、前記円筒部２０を、その中心に自由端側に向けて開口する肉抜き穴１９を設けて立設し、その円筒部２０には、外周面に前記雄ねじｍを螺設すると共に対角位置に厚さ方向に導通する一対のピン挿通穴２１のようなピンガイド部を穿設し、それらピンガイド部に緩み止めピン３０を配設し、これら緩み止めピンは、付勢ばね３５で径方向外向きに付勢してピン先端３０ｃを前記ピンガイド部から出没自在に保持してなることを特徴とする。
【発明の効果】
【０００９】
請求項１に記載の発明によれば、パネルサポートのアジャストボルトを、近ごろ価格の高騰している金属ではなく、廉価な樹脂材料を用いて、インサート成型によりパネルの受け部材又は床面への固定部材と一体に成形する構成であるため、（１）それだけコストを著しく低減させることができ、更には、（２）作業者の熟練度に依存する割り合いの多い金属のカシメ工程を省いて、固定部材又は受け部材にアジャストボルトを立設して組み立てるため、それだけ組立精度のバラツキをなくして確実性を上げることができる。加えて、請求項１に記載の発明によれば、アジャストボルトは、円筒部の拡径部分と縮径部分において周方向に肉厚が異なるので、インサート成形の直後から樹脂が冷える過程で収縮の度合いに差を生じ、この収縮の度合いの差に基づいて冷えの遅い拡径部分で雄ねじが変形し、雄ねじに、ねじピッチが歪で均等でない不揃いの部分を含んだ緩み止め形状に形成される。従って、請求項１に記載のパネルサポートでは、アジャストパイプの雌ねじと、そのようにねじピッチが一部不揃いの樹脂製アジャストボルトの雄ねじとが螺合したねじ締結状態にあるため、（３）経時、ドアパネルの開閉等によって繰り返し衝撃や振動など、アジャストボルトとアジャストパイプの捩じ込みを緩めようとする外力を受けることがあっても、樹脂製アジャストボルトの雄ねじ側が有する弾性反発力によってアジャストパイプ側の雌ねじとの間に強い摩擦接合力が発生し、この摩擦接合力によってねじ締結状態が緩まないようにロックすることができる。
【００１０】
請求項２に記載の発明によれば、アジャストパイプを回して螺合位置を変えて床面からの隙間高さを調整するときは、アジャストパイプの雌ねじを切った内周面で緩み止めピンを押えて、そのピン先端を付勢ばねに抗してピンガイド部内に押し込みながら、アジャストパイプは回動する一方、回動途中に、係合溝が緩み止めピンのある角度位置に至ると、緩み止めピンが付勢ばねの付勢力で押し出されて係合溝にピン先端がいったん係合し、それから、更にアジャストパイプを付勢ばねに抗して強制的に回動させることにより、緩み止めピンが次の係合溝に係合し、その都度、クリック感を感じ取りながら、そのクリック感を目安に高さ調整の操作を行うことができ、それだけ調整作業の操作性を向上させることができる。更に、（２）パネルサポートには、ドアパネルの開閉等によって繰り返し衝撃や振動など、アジャストボルトとアジャストパイプの捩じ込みを緩めようとする外力が加わるが、本発明のパネルサポートでは、アジャストパイプを回して床面からの隙間高さを調整した後に、緩み止めピンを係合溝に係合させてアジャストパイプの回転をロックするため、アジャストボルトとアジャストパイとを経時に緩むことなく確実に締結することができる。
【発明を実施するための最良の形態】
【００１１】
以下、図面を参照しつつ、本発明の最良の実施形態について詳細に説明する。
【００１２】
図１１は、本発明の一例であるパネルサポートを適用したトイレブース内のトイレ用ドアパネル構造体を示す。ドアパネル構造体は、複数の支持パネルＰ‥を面一に配設して上方の笠木Ｒで一体に連結すると共に、各支持パネルＰを、それぞれ本発明のパネルサポートＳで床面Ｆとの間の隙間ｄを調整して所定の取付高さ位置に支持し、その中で片側の支持パネルＰにドアパネルＤを回動自在に取り付けて支持する構造になっている。
【００１３】
本発明のパネルサポートＳは、図１に示すように、床面Ｆに固定する固定部材のサポートローズ１０に、基部１１ａを連結してねじ具のアジャストボルト１１を立設した固定手段Ａと、内周面に雌ねじｗを切った締結具のアジャストパイプ１２と、支持パネルＰを受ける受け部材のサポートプレート１３に、基部１４ａを連結してねじ具のアジャストボルト１４を立設した取付手段Ｂと、固定手段Ａのアジャストボルト１１に付設する緩み止め手段Ｃとを備えてなる。
【００１４】
固定手段Ａにおいて、サポートローズ１０は、金属製、例えばステンレス鋼で円盤状につくり、中心にアジャストボルト１１の基部１１ａが嵌り込む取付穴１５を設ける一方、周縁部１０ａを下向きに屈曲させて逆皿形状に形付けてなる。取付穴１５は、真円の穴ではなく、異形な回り止め穴、例えば図２に示すような六角穴で形成している。
【００１５】
そこで、固定手段Ａは、図３でも示すように、アジャストボルト１１をインサート成型により樹脂で上記サポートローズ１０と一体に成形する。そして、アジャストボルト１１は、中心に自由端側に向けて開口する肉抜き穴１９を設けて円筒状に立設し、その円筒部２０には、対称な周面部位に、雄ねじｍを螺設してねじ山の高さ分だけ肉厚な一対の拡径部分２０ａを形成する一方、それら拡径部分２０ａ間の対称な周面部位に、雄ねじを螺設しないでねじ山のない分だけ薄肉凹状になった一対の縮径部分２０ｂを形成した緩み止め形状に成形する。特に、円筒部２０には、図１に示すように、縮径部分２０ｂの対称位置に、ピンガイド部として、それぞれ厚さ方向に貫通するピン挿通穴２１を穿設する。なお、図示ピン挿通穴２１に代えて、円筒部２０の上端部における対角位置に、厚さ方向に導通するピンガイド溝を穿設し、これをピンガイド部として形成してもよい。
【００１６】
さて、固定手段Ａのアジャストボルト１１は、円筒部２０の拡径部分２０ａと縮径部分２０ｂにおいて周方向に肉厚が異なるので、インサート成形の直後から樹脂が冷える過程で収縮の度合いに差を生じ、この収縮の度合いの差に基づいて冷えの遅い拡径部分２０ａで雄ねじｍが変形し、雄ねじｍに、ねじピッチが歪で均等でない部分を含んだ緩み止め形状に形成してなる。加えて、固定手段Ａにおいて、アジャストボルト１１は、インサート樹脂成形時に、基部１１ａがサポートローズ１０の六角の取付穴１５に嵌り込んで一体化し、回り止めロック状態で成形されている。なお、本発明において、固定手段Ａは、アジャストボルト１１が円筒部２０を雄ねじｍの螺設した拡径部分２０ａとそうでない凹状の縮径部分２０ｂとの対称な形状であるため、アジャストボルト１１を金属製のサポートローズ１０と樹脂で一体にインサート成形後は、型を逆向きに２つ割りするだけで、手間なく簡単に且つ迅速に離型することができる利点がある。
【００１７】
一方、取付手段Ｂにおいて、サポートプレート１３は、支持パネルＰの厚さに対応させて、幅サイズの細長な金属板、例えばステンレス鋼板からなり、長さ方向中間にアジャストボルト１４の基部１４ａが嵌り込む取付穴１６を設けてなる。取付穴１６は、板厚方向片面側を、異形な回り止め穴の、例えば図４に示す六角穴に穿設し、支持パネルＰを受ける他面側を丸穴に穿設して２段に形成している。
【００１８】
そこで、取付手段Ｂでも、図５でも示すように、アジャストボルト１４をインサート成型により樹脂でサポートプレート１３と一体に成形する。そして、アジャストボルト１４は、中心に自由端側に向けて開口する肉抜き穴２４を設けて円筒状に立設し、その円筒部２５には、対称な周面部位に、雄ねじｎを螺設してねじ山の高さ分だけ厚肉な一対の拡径部分２５ａを形成する一方、それら拡径部分２５ａ間の対称な周面部位に、雄ねじを螺設しないでねじ山のない分だけ薄肉凹状になった一対の縮径部分２５ｂを形成した形状に成形する。
【００１９】
従って、取付手段Ｂでも、アジャストボルト１４は、円筒部２５の拡径部分２５ａと縮径部分２５ｂにおいて周方向に肉厚が異なるので、インサート成形の直後から樹脂が冷える過程で収縮の度合いに差を生じ、その収縮の度合いの違いに基づいて冷えの遅い拡径部分２５ａで雄ねじｎが変形し、雄ねじｎに、ねじピッチが歪で均等でない部分を含んだ緩み止め形状に形成されてなる。加えて、取付手段Ｂにおいて、アジャストボルト１４は、インサート樹脂成形時に、基部１４ａがサポートプレート１３の六角取付穴１６に嵌り込んで一体化し、回り止めロック状態で成形されている。なお、本発明において、取付手段Ｂも、アジャストボルト１４が円筒部２５を雄ねじｎの螺設した拡径部分２５ａとそうでない凹状の縮径部分２５ｂとの対称な形状であるため、アジャストボルト１４を金属製のサポートプレート１３と樹脂で一体にインサート成形後は、型を逆向きに２つ割りするだけで、手間なく簡単に且つ迅速に離型することができる利点がある。
【００２０】
他方、アジャストパイプ１２は、金属製で、図示例ではアルミニウムの押出し成形で管状につくり、図１に示すように、内周面の雌ねじｗは、長さ方向片側のねじ部を、アジャストボルト１１の拡径部分２０ａにおける雄ねじｍのねじ方向に合わせて、例えば左ねじで形成する一方、他側のねじ部を、アジャストボルト１４の拡径部分２５ａにおける雄ねじｎのねじ方向に合わせて、例えば右ねじで形成している。加えて、アジャストパイプは、特に、雌ねじｗを切った内周面に、軸線方向に細長い複数の係合溝１２ａを周方向に間隔をあけて刻設してなる。図示アジャストパイプ１２では、係合溝１２ａを断面Ｖ状に凹設し、アジャストボルト１１に設ける一対のピン挿通穴２１に対応させて、内周面の対角位置に周方向に４５度の間隔をあけて等間隔に２対刻設してなる。
【００２１】
緩み止め手段Ｃは、一対の緩み止めピン３０と、細長い圧縮コイルばねの付勢ばね３５を備える。緩み止めピン３０は、図６でも示すように、基端に、そこを一段拡径にして抜止め段部３０ａを設けると共に、抜止め段部３０ａの端面から軸方向にばね嵌込み穴３０ｂを穿設する一方、ピン先端３０ｃを先細に形成してなる。この緩み止め手段Ｃは、付勢ばね３５の両端をばね嵌込み穴３０ｂに嵌め込んだ状態で緩み止めピン３０をアジャストボルト１１の肉抜き穴１９に入れてから、ピン挿通穴２１の穴縁に抜止め段部３０ａが当った抜け止め状態でピン挿通穴２１に緩み止めピン３０を嵌合し、これら緩み止めピン３０を付勢ばね３５で径方向外向きに付勢してピン先端３０ｃをピン挿通穴２１から出没自在に保持して組み込んでなる。
【００２２】
そこで、以上の部品構成のパネルサポートＳは、アジャストパイプ１２の雌ねじｗの片側にアジャストボルト１１の雄ねじｍを螺合させる一方、他側にアジャストボルト１４の雄ねじｎを螺合させて、締結具のアジャストパイプ１２で固定手段Ａと取付手段Ｂを連結して組み立ててなる。そして、アジャストパイプ１２の螺合位置を変えることで、固定手段Ａと取付手段Ｂを伸縮させて高さ調整可能に連結してなる。また、図示パネルサポートＳでは、アジャストパイプ１２を回して螺合位置を変えて高さ調整するとき、図７（Ａ）に示すように、アジャストパイプ１２の雌ねじｗを切った内周面で緩み止めピン３０を押えて、そのピン先端３０ｃを付勢ばね３５に抗してピン挿通穴２１に押し込みながら、アジャストパイプ１２は回動する一方、回動途中に、係合溝１２ａが緩み止めピン３０のある角度位置に至ると、同図（Ｂ）に示すように、緩み止めピン３０が付勢ばね３５の付勢力で押し出されて係合溝１２ａにピン先端３０ｃがいったん係合し、それから更に、アジャストパイプ１２を付勢ばね３５に抗して強制的に回動させることにより、緩み止めピン３０が次の係合溝１２ａに係合し、その都度、クリック感を感じ取りながら、そのクリック感を目安に高さ調整することができる。従って、パネルサポートＳは、そのようにアジャストパイプ１２を回して所望高さに調整した後に、緩み止めピン３０を係合溝１２ａに係合させてアジャストパイプ１２の回転を止めると、付勢ばね３５に抗してアジャストパイプ１２を強制的に回さない限り、それ以上のアジャストパイプ１２の回転をロックする緩み止め構造になっている。
【００２３】
さて、以上のような構成のパネルサポートＳで支えて支持パネルＰを立設するときは、取付手段Ｂのサポートプレート１３を支持パネルＰの下端面にねじ止めし、支持パネルＰにパネルサポートＳを組み付ける。しかる後、支持パネルＰを持ち上げて、パネル上端を笠木Ｒに組み付けて吊持する。それから、固定状態の取付手段Ｂに対してアジャストパイプ１２又は固定手段Ａを適宜に回転させながら、パネルサポートＳの長さを床面Ｆとの隙間ｄに合わせて調節し、サポートローズ１０を床面Ｆに押し当ててから、図８および図９に示すように床面Ｆにねじ止めし、パネルサポートＳで支持パネルＰを下から受けて支持する。この場合、支持パネルＰの取付高さ位置が正確でない場合は、アジャストパイプ１２又は固定手段Ａを回転し、図１０（Ａ）・（Ｂ）にそれぞれ示すように、パネルサポートＳを上下に伸縮させて支持パネルＰと床面Ｆとの隙間高さｄ１・ｄ２を調整し、支持パネルＰを所定の取付高さ位置に位置決めして支持する。
【００２４】
そして特に、図示パネルサポートＳでは、図７（Ａ）に示すように、付勢ばね３５に抗してアジャストパイプ１２を強制的に回すと、回動途中に、緩み止めピン３０のピン先端３０ｃが係合溝１２ａに係合するたびに、クリック感を感じ取りながら、そのクリック感を目安に所望の高さに調整する。従って、パネルサポートＳは、そのようにアジャストパイプ１２を回動させて所望高さに調整し終えた後は、同図（Ｂ）に示すように、そのまま緩み止めピン３０を係合溝１２ａに係合させてアジャストパイプ１２の回転をロックする。
【００２５】
ところで、上記トイレブースのドアパネル構造体において、パネルサポートＳには、ドアパネルＤの開閉等によって繰り返し衝撃や振動など、アジャストボルト１１・１４とアジャストパイプ１２の捩じ込みを緩めようとする外力を受ける。しかし、本発明のパネルサポートＳでは、経時、そのような外力を受けることがあっても、アジャストパイプ１２の雌ねじｗと、ねじピッチが一部不揃いの樹脂製アジャストボルト１１・１４の雄ねじｍ・ｎとが螺合したねじ締結状態にあるため、樹脂製アジャストボルト１１・１４の雄ねじｍ・ｎ側が有する弾性反発力によってアジャストパイプ１２側の雌ねじ４との間に強い摩擦接合力が発生し、この摩擦接合力によってねじ締結状態が緩まないようにロックすることができる。
【００２６】
同時に、図示パネルサポートＳでは、図７（Ｂ）に示すように、緩み止めピン３０が係合溝１２ａに係合してアジャストパイプ１２の回転を止め、これによっても、ねじ締結状態が緩まないようにロックすることで、緩み止めをより確実なものにすることができる。
【００２７】
加えて、図示パネルサポートＳにおいて、アジャストボルト１１・１４は、基部１１ａ・１４ａがそれぞれサポートローズ１０とサポートプレート１３の六角取付穴１５・１６に嵌り込んで回り止め状態で一体成形されるため、経時、衝撃や振動など、アジャストボルト１１・１４を回転させて捩じ込みを緩めようとする外力を受けても、アジャストボルト１１・１４がサポートローズ１０およびサポートプレート１３に対して回転して外れないようにロック状態で成形されているため、これによって、ねじの緩み止め効果をより助長することができる。
【００２８】
ところで、図示例のパネルサポートＳでは、固定手段側アジャストボルト１１の円筒部２０に、緩み止めピン３０が嵌合するピン挿通穴２１を設けた緩み止め構造であったが、本発明は、それに代え、たとえば取付手段側アジャストボルト１４の円筒部２５に、緩み止めピンが嵌合するピン挿通穴を設けた緩み止め構造にしてもよいし、また、双方の円筒部に緩み止めピンが嵌合するピン挿通穴を設けた緩み止め構造にすることもできる。
【００２９】
また、以上の図示パネルサポートＳは、アジャストパイプ１２の上下両端側にそれぞれ取付手段Ｂのアジャストボルト１４と固定手段Ａのアジャストボルト１１を螺合して伸縮可能に連結した構造であったが、本発明は、それに限らず、固定手段側にアジャストパイプを立設し、そのパイプ上端側に取付手段側のアジャストボルトを螺合させて伸縮可能に連結した構造のものであってもよいし、また、取付手段側にアジャストパイプを立設し、そのパイプ下端側に固定手段側のアジャストボルトを螺合させて、同じく伸縮可能に連結した構造のものであってもよい。
【図面の簡単な説明】
【００３０】
【図１】本発明の一例であるパネルサポートの分解斜視図である。
【図２】固定部材のサポートローズを示す平面図である。
【図３】固定手段を一部断面で示す正面図である。
【図４】受け部材のサポートプレートを示す平面図である。
【図５】取付手段を一部断面で示す正面図である。
【図６】緩み止めピンを示す側面図である。
【図７】（Ａ）パネルサポートを、アジャストパイプを回動して高さ調整する状態において示す横断面図、（Ｂ）パネルサポートを、緩み止めピンが係合溝に係合した緩み止め状態において示す横断面図である
【図８】パネルサポートを取付状態において示す縦断面図である。
【図９】パネルサポートを、図８と９０度向きを変えた取付状態において示す縦断面図である。
【図１０】（Ａ）・（Ｂ）はパネルサポートを床面との隙間高さの調整状態において示す縦断面図である。
【図１１】本発明の一例であるパネルサポートを適用したトイレブース内のドアパネル構造体を示す斜視図である。
【図１２】従来のパネルサポートの分解斜視図である。
【図１３】従来のパネルサポートを取付状態において一部断面で示す側面図である。
【符号の説明】
【００３１】
Ａ              固定手段
Ｂ              取付手段
Ｄ              ドアパネル
Ｆ              床面
Ｐ              支持パネル
Ｓ              パネルサポート
ｄ              隙間
ｍ・ｎ          アジャストボルトの雄ねじ
ｗ              アジャストパイプの雌ねじ
１０            サポートローズ（固定部材）
１２            アジャストパイプ
１２ａ          係合溝
１１・１４      アジャストボルト
１３            サポートプレート（受け部材）
１５・１６      取付穴
２０・２５      円筒部
２１            ピン挿通穴（ピンガイド部）
３０            緩み止めピン
３０ｃ          ピン先端
３５            付勢ばね
【図１】
0004451903.tif 000002
【図２】
0004451903.tif 000003
【図３】
0004451903.tif 000004
【図４】
0004451903.tif 000005
【図５】
0004451903.tif 000006
【図６】
0004451903.tif 000007
【図７】
0004451903.tif 000008
【図８】
0004451903.tif 000009
【図９】
0004451903.tif 000010
【図１０】
0004451903.tif 000011
【図１１】
0004451903.tif 000012
【図１２】
0004451903.tif 000013
【図１３】
0004451903.tif 000014